(57)【要約】【課題】頭皮のマッサージを簡便かつ効果的に行うことのできるドライヤーを提供すること。【解決手段】ドライヤー（１）本体に、外部から空気を吸入して送風口（１２）に向けて送風するブロワー（１６）と、送風される該空気を加温するヒーター（１４・１５）と、該送風口（１２）の送風方向に付設される頭皮マッサージアタッチメント（１１）と、振動を発生して該頭皮マッサージアタッチメントを振動させるバイブレータ（１３）とを備え、乾燥及び頭皮への振動刺激を行うドライヤーを提供する。
2015083632.tif 000002
【特許請求の範囲】
【請求項１】
ドライヤー本体に、  外部から空気を吸入して送風口に向けて送風するブロワーと、  送風される該空気を加温するヒーターと、  該送風口の送風方向に付設される頭皮マッサージアタッチメントと、  振動を発生して該頭皮マッサージアタッチメントを振動させるバイブレータと  を備え、乾燥及び頭皮への振動刺激を行うドライヤー。
【請求項２】
前記ドライヤー本体のヒーターとして、赤外線ヒーターを少なくとも備え、  前記送風口から頭皮又は毛髪に赤外線を放射する  請求項１に記載のドライヤー。
【請求項３】
前記ドライヤー本体の前記頭皮マッサージアタッチメントの背面側に、  該頭皮マッサージアタッチメントを頭皮に向けて押圧する補助ハンドル部を付設した  請求項1又は２に記載のドライヤー。
【請求項４】
前記ドライヤー本体のヒーターとして、主として赤外線を放射するための出力４００Ｗ以下のセラミックヒーターと、主として空気を加温するための出力１２００Ｗ以下のニクロム線ヒーターとを共に備え、  前記頭皮マッサージアタッチメントによる振動刺激時には該セラミックヒーターだけを用いる一方、  乾燥時には、該セラミックヒーター又は該ニクロム線ヒーターの少なくともいずれかを用いる  請求項２又は３に記載のドライヤー。
【請求項５】
前記ドライヤー本体が、筒状部と、該筒状部の筒側面から下方に延設されたハンドル部とから成り、  該筒状部には先端から順に、前記頭皮マッサージアタッチメント、前記送風口、前記セラミックヒーター、前記ニクロム線ヒーター、前記ブロワーを配置すると共に、前記バイブレータとして振動モーターを用い、該頭皮マッサージアタッチメントと該振動モーターとを連結する振動伝動部を備え、  使用時には、使用者が該ハンドル部を把持しながら、該送風口側を身体に向けて使用する構成である  請求項４に記載のドライヤー。
【請求項６】
前記補助ハンドル部が、前記筒状部の筒側面から左右側方又は上方の少なくともいずれかに延設されると共に、  該補助ハンドル部が、該筒状部の径方向断面と平行な向きの押圧面を有する  請求項５に記載のドライヤー。
【請求項７】
前記ブロワー又は前記セラミックヒーターの少なくともいずれかの制御において、  前記ニクロム線ヒーターに用いられるニクロム線の電気抵抗を用いる  請求項４ないし６のいずれかに記載のドライヤー。
【請求項８】
前記頭皮マッサージアタッチメントが、  前記送風口近傍において脱着可能に構成した  請求項１ないし７のいずれかに記載のドライヤー。
【請求項９】
ドライヤー本体に装着する振動アタッチメントであって、  ドライヤー本体の送風口に装着する装着部と、  該送風口の送風方向に付設される頭皮マッサージアタッチメントと、  振動を発生して該頭皮マッサージアタッチメントを振動させるバイブレータと  を備えたことを特徴とするドライヤー用振動アタッチメント。
【発明の詳細な説明】
【技術分野】
【０００１】  本発明は、毛髪や頭皮を乾燥させるためのドライヤーに関し、特に振動機能及び温熱機能を備えたドライヤーに係る。
【背景技術】
【０００２】  毛髪や頭皮を内部から乾燥させるために赤外線を発するようにしたドライヤーが従来から提案されている。例えば、特許文献１のヘアードライヤーは、ロールブラシ、ブローブラシ、カールクリップ、櫛のいずれかを備え、それらに遠赤外線放射用セラミックを装備されている。温風によって該セラミックが加熱されて遠赤外線を毛髪に供給する、としている。同様の開示は特許文献２にも見られる。【０００３】  特許文献３では、ヘアーカーラーの発明において、毛髪を巻き付ける金属製の円筒からなるパンチングボビンに対し、表面にセラミックコーティングを施して遠赤外線を発するようにした構成を開示している。本構成により、パンチングボビンに毛髪を巻き付けてドライヤーを当てると、ドライヤーの温風によって毛髪を芯から温めてカールの付を良くすることができる、としている。【０００４】  一方、ドライヤーに頭皮のマッサージ機能を備えたものが提案されている。特許文献４４のヘアドライヤー用吹出ノズルは、毛髪をほぐしたり毛元から立ち上げたり、毛流れを整えたりの施術を行いながらその施術部分にヘアドライヤーからの風を確実に吹き付けることができ、頭皮のマッサージ効果も得るものである。そのために、ヘアドライヤーの送気口に着脱可能に接続するノズル流入口からノズル吹出口に至るノズル流路が形成されたノズル本体と、複数本のピン体を備え、ピン体は先端が頭皮に接触可能になるようにノズル吹出口からの吹き出し方向に突出して設けられている。【０００５】  また、特許文献５に記載の発明は、抜け毛予防として、ドライヤーで送風しながら、頭皮のマッサージやツボ刺激を可能にするものである。本文献によれば、ドライヤーノズル先端に回転自在なイボ状突起を有する車輪をつけることにより、温風を当てながらドライヤーを動かしマッサ−ジやツボ刺激ができるようにした。頭皮に当たるイボ状突起からドライヤー本体の吹出口の長さを１０ｃｍ以上にすることにより、温風による頭皮のダメージを防止できるようにしている。
【先行技術文献】
【特許文献】
【０００６】
【特許文献１】実用新案公開昭６２−１４３４０９
【特許文献２】実用新案公開昭６３−３０９０２
【特許文献３】特許公開２００８−２６４１５３
【特許文献４】実用新案登録第３１８４９５５号
【特許文献５】特許公開２００８−１４８８４８
【発明の概要】
【発明が解決しようとする課題】
【０００７】  上記従来技術は、ブラシ自体にセラミックを配してドライヤーからの温風を当てることで赤外線を発するように構成したものであり、赤外線の放射が十分に行えない問題があった。また、ドライヤーにピン体ないしイボ状突起を有する車輪を備える構成は提案されているが、これらの構成ではドライヤーを手で大きく動かす必要があり、十分なマッサージ効果を得にくい問題があった。【０００８】  本発明は上記従来技術の有する問題点に鑑みて創出されたものであり、頭皮のマッサージを簡便かつ効果的に行うことのできるドライヤーを提供することを目的とする。
【課題を解決するための手段】
【０００９】  上記課題を解決するため、本発明は次のようなドライヤーを提供する。  請求項１に記載の発明によれば、ドライヤー本体に、外部から空気を吸入して送風口に向けて送風するブロワーと、送風される空気を加温するヒーターと、送風口の送風方向に付設される頭皮マッサージアタッチメントと、振動を発生して頭皮マッサージアタッチメントを振動させるバイブレータとを備え、乾燥及び頭皮への振動刺激を行うドライヤーを提供することができる。【００１０】  請求項２に記載の発明によれば、上記ドライヤー本体のヒーターとして、赤外線ヒーターを少なくとも備え、送風口から頭皮又は毛髪に赤外線を放射する構成でもよい。【００１１】  請求項３に記載の発明によれば、上記のドライヤー本体の頭皮マッサージアタッチメントの背面側に、頭皮マッサージアタッチメントを頭皮に向けて押圧する補助ハンドル部を付設する構成でもよい。  請求項４に記載の発明によれば、上記ドライヤー本体のヒーターとして、主として赤外線を放射するための出力４００Ｗ以下のセラミックヒーターと、主として空気を加温するための出力１２００Ｗ以下のニクロム線ヒーターとを共に備え、頭皮マッサージアタッチメントによる振動刺激時にはセラミックヒーターだけを用いる一方、乾燥時には、セラミックヒーター又はニクロム線ヒーターの少なくともいずれかを用いる構成でもよい。【００１２】 請求項５に記載の発明によれば、上記ドライヤー本体が、筒状部と、筒状部の筒側面から下方に延設されたハンドル部とから成り、この筒状部には先端から順に、頭皮マッサージアタッチメント、送風口、セラミックヒーター、ニクロム線ヒーター、ブロワーを配置すると共に、バイブレータとして振動モーターを用い、頭皮マッサージアタッチメントと振動モーターとを連結する振動伝動部を備える。本構成において、使用時には、使用者がハンドル部を把持しながら、送風口側を身体に向けて使用することを特徴とする。【００１３】  請求項６に記載の発明によれば、上記補助ハンドル部が、上記筒状部の筒側面から左右側方又は上方の少なくともいずれかに延設されると共に、その補助ハンドル部が、筒状部の径方向断面と平行な向きの押圧面を有する構成でもよい。【００１４】  請求項７に記載の発明によれば、上記のブロワー又はセラミックヒーターの少なくともいずれかの制御において、ニクロム線ヒーターに用いられるニクロム線の電気抵抗を用いる構成でもよい。【００１５】  請求項８に記載の発明によれば、上記の頭皮マッサージアタッチメントが、送風口近傍において脱着可能に構成してもよい。【００１６】  請求項９に記載の発明によれば、ドライヤー本体に装着する振動アタッチメントを提供することもできる。該振動アタッチメントには、ドライヤー本体の送風口に装着する装着部と、該送風口の送風方向に付設される頭皮マッサージアタッチメントと、振動を発生して該頭皮マッサージアタッチメントを振動させるバイブレータとを備えたことを特徴とする。
【発明の効果】
【００１７】  本発明は、上記構成を備えるので次の効果を奏する。  すなわち、振動する頭皮マッサージアタッチメントを備えたことにより、頭皮・乾燥と共に、頭皮への振動刺激を行うドライヤーを提供することができる。特に従来のようにドライヤーの送風口を大きく動かす必要がなく、当接させるだけでマッサージを実施することができる。【００１８】  赤外線ヒーターを備えることで乾燥時及び振動刺激時の温熱効果を奏する。従来技術のようにブラシを温風で暖め、ブラシに配したセラミックから間接的に赤外線を発する構成に比して格段に赤外線の放射効率を高めることができる。また、赤外線ヒーターの加温の際に、一般的なドライヤーより低温（５０度以下）の温度にすることで、頭皮および毛髪への熱ダメージを軽減しながら、内部から乾燥させるドライヤーを提供することができる。【００１９】  本発明のドライヤーに補助ハンドル部を設けることで、頭皮マッサージアタッチメントを頭皮に当接させる際の向きや力加減を調整しやすく、適切に押圧することができる。  また、補助ハンドル部に筒状部の径方向断面と平行な向きの押圧面を備えれば、当該面を使用者が手で支持しやすく、快適な使用性を実現できる。【００２０】  ドライヤー本体のヒーターとして、主として赤外線を放射するための出力４００Ｗ以下のセラミックヒーターと、主として空気を加温するための出力１２００Ｗ以下のニクロム線ヒーターとを共に備えることにより、用途に応じた加温を行うことが可能となる。加温温度を適切に調整できるので、熱ダメージを最小限に抑えながら乾燥やマッサージを行うことができる。【００２１】 本発明は、筒状部と、筒状部の側面から下方に延設されたハンドル部とから成る一般的なドライヤーの形状に適用することができる。これにより、手で動かしにくいドライヤーの形状においても、容易に頭皮への振動刺激や温熱効果を作用させることができる。また、従来のドライヤーとほぼ等しい大きさで、多機能なドライヤーを提供することができる。【００２２】  ブロワー又はセラミックヒーターの少なくともいずれかの制御において、ニクロム線ヒーターに用いられるニクロム線の電気抵抗を用いることにより、多様な制御を可能にしながら、部品点数の削減、省エネルギー化に寄与する。【００２３】  本発明では、ドライヤーに脱着可能な振動アタッチメントだけを提供することもできる。
【図面の簡単な説明】
【００２４】
【図１】本発明に係るドライヤーの斜視分解図である。
【図２】本発明に係るドライヤーの正面図である。
【図３】正面図におけるA-A矢視の右側面断面図である。
【図４】本発明に係るドライヤーの背面図である。
【図５】本発明に係るドライヤーの制御を示すブロック図である。
【図６】本発明に係るドライヤーの補助ハンドル部の第１の実施例である。
【図７】本発明に係るドライヤーの補助ハンドル部の第２の実施例である。
【発明を実施するための形態】
【００２５】  図１は本発明に係るドライヤーの斜視分解図である。また、図２、図３、図４はそれぞれ、正面図、正面図上のA-A矢視の右側面断面図、背面図である。  本実施例に係るドライヤーの形状は、一般的な手持ち式のドライヤーの形状と同様の外観を有している。使用者は使い慣れた形状で頭髪の乾燥に用いることができ、従前からの置き場所に収納することもできる。本発明はこれに加えて、赤外線ヒーター等を用いた温熱効果や、振動刺激機能を備えたドライヤーを提供するものである。  なお、ドライヤーの形状は本実施例に限定されず、請求項記載の範囲で任意に変更可能である。
【００２６】  ドライヤー本体（１）は、外見形状において正面から背面に向かって円筒状をなす筒状部（１０）と、該筒状部（１０）の下側面から下方に延設されるハンドル部（２０）とから構成される。筒状部（１０）には、本発明に係る送風、加温、振動の各機能を内蔵する一方、ハンドル部（２０）はドライヤーの機能を操作するスイッチ類と、ドライヤー本体（１）を把持するためのグリップとから成る。図示しないが、ハンドル部（２０）下端に接続される電源コードにより電源供給される。なお、内部にバッテリーを備えてコードレス式のドライヤーとしてもよい。
【００２７】  筒状部（１０）は、先端（頭皮側）から順に頭皮マッサージアタッチメント（１１）、送風口ケース（１２）、振動機構（１３）、セラミックヒーター（１４）、ニクロム線ヒーター（１５）、送風ファン（１６）、フィルター（１７）、給気口ケース（１８）を配置し、全長の中途部分が前記ハンドル部（２０）と一体的に形成されているハウジング（３）に保持されることで全体が構成されている。  本発明における頭皮マッサージアタッチメント（１１）は、頭皮をマッサージする機能の他、一般的なブラシとして使用することもできる。また、用途に応じて脱着交換することもできる。例えば金属製のアタッチメントと樹脂製のアタッチメントを提供することもできる。
【００２８】  頭皮マッサージアタッチメント（１１）は、図示されるように送風方向に向かって多数の突起（１１０）を備える。頭皮マッサージアタッチメント（１１）の中央には加温された空気を送風するための中央送風孔（１１１）を開口して、送風と共に、正面図に視認されるようにセラミックヒーター（１４）のヒーター面（１４０）から直接赤外線が放射されるように構成している。  また、中央送風孔（１１１）から外側に向かって順に、内周の突起（１１０）、スリット送風孔（１１２）、外周の突起（１１０）が配置されている。スリット送風孔（１１２）からも送風及び赤外線が放射される。
【００２９】  各突起（１１０）はそれぞれ環状に多数配置されており、突起（１１０）の先端は中央に向かって傾斜しているので、頭皮の曲面に沿って均等に当接することができる。  各突起（１１０）はゴム製又は樹脂製で、可撓性を有する。可撓性を高くして柔らかな触感としてもよいし、可撓性を低くしてマッサージの際に力が加わりやすくしてもよい。
【００３０】  頭皮マッサージアタッチメント（１１）の左右には摘み部（１１３）を前面側に突出させており、該摘み部（１１３）の背面には凸部（１１４）が形成される。頭皮マッサージアタッチメント（１１）の使用時には、この凸部（１１４）を、振動機構（１３）のガード面（１３１）に設けた凹部（１３１ａ）に嵌合させることで装着する。不使用時には、摘み部（１１３）を前方に引くことで頭皮マッサージアタッチメント（１１）を離脱させることもできる。
【００３１】 頭皮マッサージアタッチメント（１１）が装着される部位には、送風口ケース（１２）が外装されている。送風口ケース（１２）は略円筒状の部材（１２０）であって、内部に送風ファン（１６）からの空気の流路を形成する。  送風口ケース（１２）の上面と下面には排気孔（１２１）を３個ずつ設けている。該排気孔（１２１）は、頭皮マッサージアタッチメント（１１）の突起（１１０）の基部付近に開口しているので、頭皮マッサージアタッチメント（１１）の装着時には、中央送風孔（１１１）からの空気の送風量を適切に調整するように、余分な空気を排気することができる。
【００３２】  頭皮マッサージアタッチメント（１１）を離脱した状態では送風口ケース（１２）の送風口から抵抗なく空気が抜けるので、本排気孔（１２１）は、頭皮マッサージアタッチメント（１１）を装着した状態と離脱させた状態とでそれぞれ適切な風量が確保されるように作用する。
【００３３】  送風口ケース（１２）の先端縁の左右には、頭皮マッサージアタッチメント（１１）の脱着の際に指を入れて摘み部（１３）を摘まむために適当な後退部（１２２）を形成しており、脱着性を向上すると共に、外観の意匠性にも寄与している。
【００３４】  送風口ケース（１２）内の空気の流路上、すなわち送風口ケース（１２）の全長部分には頭皮マッサージアタッチメント（１１）から順に振動機構（１３）のガード面（１３１）、セラミックヒーター（１４）とニクロム線ヒーター（１５）が内装される。
【００３５】  振動機構（１３）は、公知の分銅モーターである振動モーター（１３０）をバイブレータとして備えており、該振動モーター（１３０）が発生した振動をガード面（１３１）に伝動し、さらに該ガード面（１３１）に装着した頭皮マッサージアタッチメント（１１）を振動させている。  ガード面（１３１）は指がセラミックヒーター（１４）やニクロム線ヒーター（１５）等に触れないように保護している。
【００３６】  振動機構（１３）は、送風口ケース（１２）と後端部において可撓性を有する金具（１３２）で連結されているので、振動モーター（１３０）からの振動が、セラミックヒーター（１４）やニクロム線ヒーター（１５）等に伝動しにくく構成されている。これにより、バイブレータを動作させた状態でもドライヤー本体（１）やハンドル部（２０）には不快な振動が伝わりにくいようになっている。
【００３７】  本発明の特徴として、従来のドライヤーに備えられたニクロム線ヒーター（１５）に加えて、赤外線を放射することを目的としたセラミックヒーター（１４）を配設している。セラミックヒーター（１４）は頭皮マッサージアタッチメント（１１）の直後方に配置されているため、頭皮マッサージアタッチメント（１１）の中央送風孔（１１１）等を通して、発生した赤外線が頭皮に効率良く作用する。
【００３８】  送風口ケース（１２）の後端はハンドル部（２０）と一体的に形成されたハウジング（３）が連設される。ハウジング（３）の上部は円筒状であってその内部に送風ファン（１６）を配置する。送風ファン（１６）は、モーター（１６０）により回転するファン（１６１）が、吸気口（１８）からフィルター（１７）を通して空気を吸入し、送風口ケース（１２）に向けて送風する。
【００３９】  従って、送風ファン（１６）による送風は、ニクロム線ヒーター（１５）、セラミックヒーター（１４）のいずれか、又は両方によって加温されて、送風口から送風されることになる。この順序で配置することは、本発明において特別な効果を有している。  すなわち、ニクロム線ヒーター（１５）の加温時には温風がセラミックヒーター（１４）のセラミック部分を加熱することで、セラミックヒーター（１４）のオン・オフに関わらず、赤外線を放射することができる。
【００４０】  本発明において、セラミックヒーターは出力４００Ｗ以下の低出力ヒーターとすることが好ましい。低出力ヒーターとすることで、本実施例のように送風口に近接した位置に配置することができ、頭皮や毛髪に直接に温熱効果を作用させることができる。  特にセラミックヒーターは１５０Ｗ以下、本実施例では１００Ｗの低出力ヒーターを用いている。
【００４１】  一方、ニクロム線ヒーターは１２００Ｗ以下、本実施例では８００Ｗの出力のものを用いている。一般的なドライヤーではニクロム線ヒーターを用いており、出力は７００Ｗから１５００Ｗ程度であるが、本発明では、セラミックヒーターと共に用い、赤外線による温熱作用を利用することで、８００Ｗ程度でも十分な乾燥効果を得ることができる。また、後述するように、２つのヒーターを制御することで、多様な動作モードを実現している。
【００４２】  図５は、本発明に係るドライヤーの制御を示すブロック図である。  ドライヤー（１）のハンドル部（２０）にはメインスイッチ（３０）とサブスイッチ（３１）が備えられており、使用者はスイッチの切り替えによって、ヒーターとファンとを操作する。
【００４３】  メインスイッチ（３０）では、８００Ｗのニクロム線ヒーター（１５）の入切、１００Ｗのセラミックヒーター（１４）の入切、及び交流の半波整流（４０）による５０Ｗでの動作が切り替え可能である。すなわち、本実施例におけるヒーターは、５０Ｗと１００Ｗのセラミックヒーターと、８００Ｗのニクロム線ヒーター、さらにそれらの組み合わせを調整することができる。
【００４４】  また、バイブレータとして振動モーター（１３０）の入切も可能である。振動モーター（１３０）はＤＣモーターであるため、電圧調整ニクロム線（４１）とＡＣ／ＤＣ変換器（４２）によって動作させている。本発明では電圧調整のために、ニクロム線ヒーター（１５）の所定の部分を用いて、電圧調整を行っていることも特徴である。これにより、部品点数を削減すると共に、電圧調整時の発熱も効率良く利用することができる。
【００４５】  メインスイッチ（３０）ではさらに送風ファン（１６）の操作を２段階で行う。すなわち、入切の他、入時には弱風と強風の切り替えが可能である。弱風時は半波整流（４４）を行って出力を半減させる。強風時は全波を用いる。いずれの場合でも、ニクロム線ヒーター（１５）の所定の部分を用いた電圧調整ニクロム線（４５）、ＡＣ／ＤＣ変換器（４６）によって直流の送風ファン（１６）を動作させている。
【００４６】  また、サブスイッチ（３１）の入切によって電圧調整ニクロム線（４３）への通電を操作し、オフ時には電圧をさらに下げることで送風ファン（１６）から弱風よりも弱い微風を送風することを可能にしている。  上記では送風ファンと振動モーターの制御に、ニクロム線ヒーターに用いられるニクロム線の電気抵抗を用いる構成を示したが、セラミックヒーターの制御に用いることもできる。
【００４７】  以上の制御系により、本発明のドライヤー（１）では次のような動作モードを実現している。（マッサージモード）  本モードではセラミックヒーター（１４）を５０Ｗ出力、ニクロム線ヒーター（１５）は切とする。送風ファン（１６）の風量は微風又は弱風として、振動機構（１３）によって頭皮マッサージアタッチメント（１１）を振動させる。  本モードは、頭皮マッサージアタッチメント（１１）を頭皮に直付けして、じんわり温風を当てながら振動を伝え、頭皮マッサージを行うことを目的としたものである。
【００４８】（低温ヘアドライモード）  本モードではセラミックヒーター（１４）を１００Ｗ出力、ニクロム線ヒーター（１５）は切とする。送風ファン（１６）の風量は弱風とする。振動機構（１３）は切である。  本モードは、送風口を頭皮から離した状態で地肌を６０度以下に保ちながら毛髪を乾燥させることを目的としている。頭皮や毛髪への熱ダメージを防ぎつつ、ヘアドライを行うことができる。
【００４９】（高温ヘアドライモード）  本モードではセラミックヒーター（１４）を１００Ｗ出力、８００Ｗのニクロム線ヒーター（１５）も入とする。送風ファン（１６）の風量は強風とする。振動機構（１３）は切である。  本モードは、通常のヘアドライヤー機能で動作させるものであり、２つのヒーターによって高温に加温しながら赤外線も放射させる。十分な風量で素早くヘアドライを行うことを目的としている。
【００５０】  本発明ではドライヤー本体にさらに補助ハンドル部を設けることもできる。補助ハンドル部は、頭皮マッサージアタッチメントの背面側に、頭皮マッサージアタッチメントを頭皮に向けて押圧するために設けられ、使用者は片手でハンドル部（２０）を把持しながら、他方の手で補助ハンドル部を持つことができる。
【００５１】  図６は補助ハンドル部（２１）の第１の実施例である。図示されるように、補助ハンドル部（２１）はハウジング（３）の円筒状部分の側面に基点部（２１ａ）を有し、基点部（２１ａ）から筒状部（１０）の径方向断面と平行な面に幅広な平板状の押圧面部（２１ｂ）を形成する。押圧面部（２１ｂ）の後面から前方に力をかけやすくなるので、効果的なマッサージを行うことができる。
【００５２】  押圧面部（２１ｂ）の基点部（２１ａ）と反対端からは前後に平板状の平板部（２１ｃ）を延設する。すなわち、補助ハンドル部（２１）は押圧面部（２１ｂ）と平板部（２１ｃ）によって全体としてＴ字状をなす。  使用者は例えば押圧面部（２１ｂ）の前面と後面とに指をかけて平板部（２１ｃ）を手掌で把持することで、頭皮マッサージアタッチメントを頭皮に押圧することができる。あるいは、押圧面部（２１ｂ）の前面と後面とに指をかけてハウジング（３）円筒状部分を手掌で覆うようにし、その際には平板部（２１ｃ）が指の離脱を防ぐように機能する。
【００５３】  補助ハンドル部（２１）はハンドル部（２０）と異なる向きから把持可能なことが望ましく、筒状部（１０）の筒側面から左右側方、特にハンドル部（２０）との成す角が９０度以上よりも上方側の角度に設けることが好ましい。第１実施例では、右利きの使用者が左手でハンドル部（２０）を、右手で補助ハンドル部（２１）を把持することを想定し、正面視における左側、かつハンドル部（２０）との成す角が約１２０度の位置に配設している。
【００５４】  第１の実施例における補助ハンドル部（２１）の形状は上記の通り頭皮マッサージアタッチメントを備えたドライヤーにおいて効果的なマッサージをする上で最適な形状の１つである。しかし、本発明においては上記実施例に限定されず、他の態様でもよい。例えば、押圧面部に相当する部分を図示よりも長く形成して、当該部位を手掌で把持できるようにしてもよい。その際、平板状でなく、把持しやすい丸棒形状でもよい。平板部（２１ｃ）は前後に延設する構成に限らず、前方又は後方のいずれか一方だけ延設してもよい。  補助ハンドル部（２１）は上方に向けて設けてもよいし、左右のどちらか、あるいは両方に２個設けてもよい。
【００５５】  第１の実施例では、補助ハンドル部（２１）は固設されているが、取り外し可能としてもよい。例えば筒状部（１０）の側面に孔部を開孔して該孔部に補助ハンドル部の基点部を挿入することで、頭皮マッサージアタッチメントの使用時だけ補助ハンドル部を設置できるように構成してもよい。
【００５６】  図７には補助ハンドル部の第２の実施例を示す。本実施例では、補助ハンドル部（２２）を折り畳み可能に構成している。補助ハンドル部（２２）は格納時には筒状部（１０）の円周部に一体として格納される一方、使用時には把持部（２２ａ）が蝶番部（２２ｂ）を支点として展開する。  このように格納可能とすることで収納時や不使用時には補助ハンドル部（２２）が邪魔にならず、さらに使用性を向上することができる。
【００５７】  本発明では、ドライヤー本体に装着する振動アタッチメント単体で提供することもできる。すなわち、ドライヤー本体の送風口に装着する装着部と、送風口の送風方向に付設される頭皮マッサージアタッチメントと、振動を発生して該頭皮マッサージアタッチメントを振動させるバイブレータとを備えたアタッチメントを構成する。  すなわち、上記実施例における頭皮マッサージアタッチメント（１１）と振動機構（１３）とを少なくとも備え、一般的なドライヤーに対して脱着可能に構成する。ドライヤーに装着する構造としては、例えば送風口の外周に嵌合するように構成してもよいし、係合・係止部をそれぞれに設けることもできる。
【００５８】  本アタッチメントには、上記実施例における送風口ケース（１２）の先端部に相当する円筒状のケースを備えてもよく、周知の一般的なドライヤーのノズル部分と同様の形状とすることで、ノズルと交換可能に構成することができる。
【００５９】  本発明は以上の構成を備えることによって、バイブレータによるマッサージ機能、赤外線による温熱機能、及びそれらの組み合わせによる多様な動作モードを備えたドライヤーを提供することができる。  ドライヤー本体から発する赤外線により頭皮の内部までしっかりと乾燥を行えると共に、ブラシ部分が過度に熱くなることなく快適な使用を行うことができる。さらに、頭皮マッサージアタッチメントの振動機能を備えることで、赤外線による温熱効果と、振動によるマッサージ効果を相乗的に奏するドライヤーを提供することができる。
【符号の説明】
【００６０】  １    ドライヤー  １０  筒状部  １１  頭皮マッサージアタッチメント  １１０  突起  １１１  中央送風孔  １１２  スリット送風孔  １１３  摘み部  １１４  凸部  １２  送風口ケース  １２０  略円筒状部材  １２１  排気孔  １２２  後退部  １３  振動機構  １３０  振動モーター  １３１  ガード面  １３１ａ  嵌合部  １３２  金具  １４  セラミックヒーター  １４０  ヒーター面  １５  ニクロム線ヒーター  １６  送風ファン  １６０  モーター  １６１  ファン  １７  フィルター  １８  給気口ケース  ２０  ハンドル部  ２１  補助ハンドル部  ３    ハウジング  ３０  メインスイッチ  ３１  サブスイッチ
【図１】
2015083632.tif 000003
【図２】
2015083632.tif 000004
【図３】
2015083632.tif 000005
【図４】
2015083632.tif 000006
【図５】
2015083632.tif 000007
【図６】
2015083632.tif 000008
【図７】
2015083632.tif 000009
【国際調査報告】
2015083632.tif 000010
2015083632.tif 000011
2015083632.tif 000012
2015083632.tif 000013